(57)【特許請求の範囲】
【請求項１】
駆動シーブを有する駆動装置と、
上記駆動装置により昇降路内を昇降されるかご及び釣合おもりと、
上記駆動シーブに巻き掛けられ、上記かご及び上記釣合おもりを吊り下げる主ロープと、
上記かごの下部に設けられ、上記主ロープが巻き掛けられている複数のかご吊り車と、
上記昇降路内に設置され、上記かごの昇降を案内する一対のかごガイドレールと
を備え、
上記かごガイドレールは、垂直投影面で上記かごガイドレール間を結ぶ直線が上記かごの幅方向の中心線と斜めに交差するように配置されており、
上記かごガイドレールのうちの一方は上記かごの後端部近傍に配置され、他方は上記かごの前端部近傍に配置されており、
上記釣合おもりが１個だけ用いられており、
上記主ロープの上記かごの下方を通る部分は、垂直投影面で、上記かごの幅方向の中心線と斜めに交差しており、
上記かごガイドレールは、垂直投影面で、上記かごガイドレール間を結ぶ直線が上記主ロープの上記かご下方を通る部分に対して間隔をおくように配置されているエレベータ装置。
【請求項２】
上記釣合おもりは、上記かごの奥行き方向について、前側に位置するかごガイドレールの後方のスペース、又は後ろ側に位置する上記かごガイドレールの前方のスペースに配置されている請求項１記載のエレベータ装置。
【請求項３】
上記主ロープの上記かごの下方を通る部分は、垂直投影面で、上記かごガイドレール間を結ぶ直線に対して平行になっている請求項１記載のエレベータ装置。
【発明の詳細な説明】
【技術分野】  この発明は、かごの昇降を案内するガイドレールが昇降路内に設置されているエレベータ装置に関するものである。
【背景技術】  例えば、特開平７−１０４３４号公報に示された従来のエレベータ装置では、一対のかごガイドレールは、かごの奥行き方向の中心付近で、かごの幅方向の中心線に対して対称に配置されている。また、釣合おもりは、かごの奥行き方向について一方のかごガイドレールの後方に配置されている。このため、釣合おもりの幅寸法が制限され、釣合おもりの厚さ寸法を大きくする必要があり、昇降路の平面寸法が大きくなってしまう。
【発明の開示】
この発明は、上記のような課題を解決するためになされたものであり、昇降路の省スペース化を図ることができるエレベータ装置を得ることを目的とする。
この発明によるエレベータ装置は、駆動シーブを有する駆動装置と、駆動装置により昇降路内を昇降されるかご及び釣合おもりと、駆動シーブに巻き掛けられ、かご及び釣合おもりを吊り下げる主ロープと、昇降路内に設置され、かごの昇降を案内する一対のかごガイドレールとを備え、かごガイドレールは、垂直投影面でかごガイドレール間を結ぶ直線がかごの幅方向の中心線と斜めに交差するように配置されているものである。
【図面の簡単な説明】  図１はこの発明の実施の形態１によるエレベータ装置の要部を示す平面図、
図２はこの発明の実施の形態２によるエレベータ装置の要部を示す平面図、
図３はこの発明の実施の形態３によるエレベータ装置の要部を示す平面図、
図４は図３のエレベータ装置の左側面図、
図５はこの発明の実施の形態４によるエレベータ装置の要部を示す平面図である。
【発明を実施するための最良の形態】  以下、この発明の好適な実施の形態について図面を参照して説明する。
実施の形態１．
図１はこの発明の実施の形態１によるエレベータ装置の要部を示す平面図である。図において、昇降路１内には、かご２及び釣合おもり３が配置されている。かご２は、かご枠４と、かご枠４により支持されたかご室５とを有している。
かご枠４は、かご室５の下部に設けられた下枠（図示せず）と、かご室５の上方に水平に配置された上梁４ａと、下枠と上梁４ａとの間に垂直に配置された第１及び第２の縦柱４ｂ，４ｃとを有している。
かご室５は、かご出入口が設けられた前面部５ａと、前面部５ａに対向する背面部５ｂと、一対の側面部５ｃ，５ｄとを有している。釣合おもり３は、かご２と同じ高さに位置するときに側面部５ｄと対向するように、かご２の側方に配置されている。
また、第１の縦柱４ｂは、かご２の前後方向の中間よりも後ろ側で側面部５ｃに対向（又は接合）するように配置されている。第２の縦柱４ｃは、かご２の前後方向の中間よりも前側で側面部５ｄに対向（又は接合）するように配置されている。即ち、縦柱４ｂ，４ｃは、ほぼ対角に配置されている。これにより、縦柱４ｂ，４ｃ間に接続された上梁４ａは、垂直投影面でかご２の幅方向の中心線Ｃに対して斜めに交差するように配置されている。
昇降路１内の上部には、駆動装置（図示せず）が配置されている。駆動装置の駆動シーブには、複数本の主ロープ（図示せず）が巻き掛けられている。主ロープは、上梁４ａに接続されたかご側端部と、釣合おもり３の上端部に接続された釣合おもり側端部とを有している。かご２及び釣合おもり３は、主ロープにより１：１ローピング方式で昇降路１内に吊り下げられ、駆動装置の駆動力により昇降される。
昇降路１内には、かご２の昇降を案内する一対のかごガイドレール６ａ，６ｂと、釣合おもり３の昇降を案内する一対の釣合おもりガイドレール７ａ，７ｂが設置されている。ガイドレール６ａ，６ｂ，７ａ，７ｂは、複数のブラケット８を介して昇降路壁に対して固定されている。
かごガイドレール６ａ，６ｂは、垂直投影面でかごガイドレール６ａ，６ｂ間を結ぶ直線がかご２の幅方向の中心線Ｃ（又はかご出入口中心線）と斜めに交差するように配置されている。即ち、かごガイドレール６ａ，６ｂは、昇降路１内でほぼ対角に配置されている。また、かごガイドレール６ａ，６ｂは、縦柱４ｂ，４ｃにそれぞれ対向している。
さらに、かごガイドレール６ａ，６ｂは、水平断面の中心線がかご２の幅方向と平行になるような向きで設置されている。従って、かごガイドレール６ａの水平断面の中心線とかごガイドレール６ｂの水平断面の中心線とは、互いに平行である。
かご枠４には、かごガイドレール６ａ，６ｂに係合する複数のかごガイドシュー９が搭載されている。かごガイドシュー９は、かご２の両側の上下端部に合計４個設けられている。
釣合おもりガイドレール７ａ，７ｂは、垂直投影面で釣合おもりガイドレール７ａ，７ｂ間を結ぶ直線がかご２の幅方向の中心線Ｃと平行になるように配置されている。また、釣合おもり３は、かご２の奥行き方向について、前側に位置するかごガイドレール６ｂの後方のスペースに配置されている。
釣合おもり３には、釣合おもりガイドレール７ａ，７ｂに係合する複数の釣合おもりガイドシュー１０が搭載されている。釣合おもりガイドシュー１０は、釣合おもり３の幅方向両端部の上下端部に合計４個設けられている。かごガイドシュー９及び釣合おもりガイドシュー１０としては、例えばスライディングガイドシュー、又はローラガイドシューが用いられる。
このようなエレベータ装置では、垂直投影面でかごガイドレール６ａ，６ｂ間を結ぶ直線がかご２の幅方向の中心線Ｃと斜めに交差するようにかごガイドレール６ａ，６ｂが配置されているので、かごガイドレール６ｂの後方のスペースを広く確保することができる。従って、かごガイドレール６ｂの後方のスペースに釣合おもり３を配置することにより、釣合おもり３の幅寸法を大きくして厚さ寸法を小さくすることができる。これにより、昇降路１の平面寸法を小さくして省スペース化を図ることができる。
実施の形態２．
次に、図２はこの発明の実施の形態２によるエレベータ装置の要部を示す平面図である。図において、かご２は、かご枠１１とかご室５とを有している。かご枠１１は、かご室５の下部に設けられた下枠（図示せず）と、かご室５の上方に水平に配置された略Ｉ字形の上枠１１ａと、下枠と上枠１１ａとの間に垂直に配置された４本の縦柱（図示せず）とを有している。上枠１１ａ及び縦柱は、かご２の幅方向の中心線Ｃに対して左右対称に配置されている。他の構成は、実施の形態１と同様である。
このように、４本の縦柱を有する左右対称のかご枠１１を用いることによっても、かご枠１１にかごガイドシュー９を容易に取り付けることができる。
実施の形態３．
次に、図３はこの発明の実施の形態３によるエレベータ装置の要部を示す平面図、図４は図３のエレベータ装置の左側面図である。図において、かご２の下部には、一対のかご吊り車１２ａ，１２ｂが搭載されている。釣合おもり３の上部には、釣合おもり吊り車１３が搭載されている。
ガイドレール６ａ，６ｂ，７ａ，７ｂのうちの少なくとも１本の上部には、支持台１４（図３では図示略）が固定されている。支持台１４上には、かご２及び釣合おもり３を昇降させる駆動装置１５が支持されている。駆動装置１５は、モータ及びブレーキを含む駆動装置本体１６と、駆動装置本体１６により回転される駆動シーブ１７とを有している。
また、駆動装置１５は、全体の軸方向寸法が駆動装置本体１６又は駆動シーブ１７の外径寸法よりも小さい薄形巻上機である。さらに、駆動装置１５は、駆動シーブ１７の回転軸が水平となるように配置されている。さらにまた、駆動装置１５は、垂直投影面でかご２及び釣合おもり３と部分的に重なるように、昇降路１内の上部（頂部）に配置されている。
かご２及び釣合おもり３は、複数本（図では１本のみ示す）の主ロープ１８により２：１ローピング方式で昇降路１内に吊り下げられている。主ロープ１８は、かご側端部１８ａ及び釣合おもり側端部１８ｂとを有している。かご側端部１８ａ及び釣合おもり側端部１８ｂは、ロープ端接続装置１９ａ，１９ｂを介して支持台１４に接続されている。
主ロープ１８は、かご側端部１８ａ側から順に、かご吊り車１２ｂ、かご側吊り車１２ａ、駆動シーブ１７及び釣合おもり吊り車１３に巻き掛けられている。
主ロープ１８のかご２の下方を通る部分は、垂直投影面で、かご２の幅方向の中心線Ｃと斜めに交差しているとともに、かごガイドレール６ａ，６ｂ間を結ぶ直線に対して間隔をおいて配置されている。ここでは、主ロープ１８のかご２の下方を通る部分は、垂直投影面で、かごガイドレール６ａ，６ｂ間を結ぶ直線に対して平行になっている。
また、かご２の下部の少なくともかごガイドレール６ａ，６ｂに対向する部分には、非常止め装置（図示せず）が設けられている。かご吊り車１２ａ，１２ｂは、かご２の下部での主ロープ１８と非常止め装置との干渉を避けるように、かごガイドレール６ａ，６ｂ間を結ぶ直線からずらして配置されている。
なお、昇降路１の底部には、ガイドレール６ａ，６ｂ，７ａ，７ｂを支持するガイドレール支持台１９が設置されている。また、ガイドレール支持台１９上には、かご側緩衝器（図示せず）及び釣合おもり側緩衝器２０が固定されている。他の構成は、実施の形態１と同様である。
このように、２：１ローピング方式のエレベータ装置についても、この発明を適用することができ、昇降路１の平面寸法を小さくすることができる。
また、主ロープ１８のかご２の下方を通る部分は、垂直投影面で、かごガイドレール６ａ，６ｂ間を結ぶ直線に対して間隔をおいて配置されているので、非常止め装置よりも低い位置に主ロープ１８を配置することなく、かご２の下部での主ロープ１８と非常止め装置との干渉を容易に避けることができ、かご２の上下寸法の増大を防止することができる。従って、昇降路１のピット深さ寸法を小さくすることができ、これによっても昇降路１の省スペース化を図ることができる。
また、かご２の下部に位置する非常止め枠や吊り車枠の構成を簡単にすることができる。
なお、釣合おもり３は、かご２の奥行き方向について、後ろ側に位置するかごガイドレール６ａの前方のスペースに配置してもよい。
実施の形態４．
次に、図５はこの発明の実施の形態４によるエレベータ装置の要部を示す平面図である。この例では、釣合おもり３は、かご２と同じ高さに位置するときに背面部５ｂと対向するように、かご２の後方に配置されている。かご２は、重心位置又はその近傍で吊られている。即ち、垂直投影面で、主ロープ１８のかご２の下方を通る部分がかごの重心又はその近傍を通るように配置されている。このため、主ロープ１８のかご２の下方を通る部分は、垂直投影面で、かご２の幅方向の中心線Ｃと斜めに交差している。
これに対して、かごガイドレール６ａ，６ｂも、垂直投影面で、かごガイドレール６ａ，６ｂを結ぶ直線がかご２の幅方向の中心線Ｃと斜めに交差するように配置されている。さらに、かごガイドレール６ａ，６ｂは、垂直投影面で、かごガイドレール６ａ，６ｂを結ぶ直線が主ロープ１８のかご２の下方を通る部分に対して間隔をおくように配置されている。ここでは、主ロープ１８のかご２の下方を通る部分は、垂直投影面で、かごガイドレール６ａ，６ｂ間を結ぶ直線に対して平行になっている。他の構成は、実施の形態２と同様である。
このようなエレベータ装置では、かご２の下部での主ロープ１８と非常止め装置との干渉を容易に避けることができ、かご２の上下寸法の増大を防止することができる。従って、昇降路１のピット深さ寸法を小さくすることができ、これによっても昇降路１の省スペース化を図ることができる。
また、かご２の下部に位置する非常止め枠や吊り車枠の構成を簡単にすることができる。
なお、上記の例では、駆動装置の荷重をガイドレールで支持したが、昇降路の頂部に固定された建築梁等により支持するようにしてもよい。
また、上記の例では、駆動シーブの回転軸が水平となるように駆動装置を配置したが、駆動シーブの回転軸が垂直又はほぼ垂直となるように駆動装置を配置してもよい。
さらに、上記の例では駆動装置として薄形巻上機を示したが、全体の軸方向寸法が駆動装置本体又は駆動シーブの外径寸法よりも大きい巻上機であってもよい。
さらにまた、上記の例では、かごガイドシューをかご枠に搭載したが、かご枠から支持腕を介して支持したり、かご室の外面に直接取り付けたりしてもよい。
また、上記の例では、かごガイドレール６ａ，６ｂの水平断面の中心線がかご２の幅方向と平行になるようにしたが、かごガイドレールの水平断面の中心線が同一直線上に重なるように、かご２の幅方向に対して斜めにかごガイドレールを配置してもよい。即ち、かごガイドレールは、対角に配置しつつ互いに対向するように配置してもよい。
【図１】
0004397896.tif 000002
【図２】
0004397896.tif 000003
【図３】
0004397896.tif 000004
【図４】
0004397896.tif 000005
【図５】
0004397896.tif 000006